(57)【要約】【課題】同期状態のパスがフィンガに割り当てられるまでの時間を短縮でき、同期性能を向上できるようにすること。【解決手段】保護段数設定部１８１は、相関値上位パス選択部１８０からの選択情報に基づいて、アンテナ１２０１でフィンガに割り当てられたサンプル番号ｍを中心として同一パスとみなせるサンプル番号ｍ−ｋ〜ｍ＋ｋの同一パス範囲の保護段数ｐからｑだけ減じた新たな保護段数ｐ−ｑを設定する。保護段数メモリ部１７４は、保護段数設定部１８１で設定された新たな保護段数ｐ−ｑを、アンテナ１２０１でのパスサーチ処理時に用いた保護段数ｐと置き換えて保持する。この新たな保護段数ｐ−ｑは、アンテナ１２０２〜１２０ｉでフィンガに割り当てられる同一パス範囲の保護段数として使用される。【選択図】      図１
2004364060.tif 000002
【特許請求の範囲】
【請求項１】
複数のアンテナ毎に遅延プロファイルの相関値を算出する遅延プロファイル相関値算出手段と、前記アンテナ毎の遅延プロファイルからフィンガ閾値を算出するフィンガ閾値算出手段と、前記アンテナ毎の遅延プロファイルの相関値と前記フィンガ閾値とを比較する相関値比較手段と、フィンガ割り当て条件を満たしたパスの評価回数である保護段数を保持する保護段数メモリ部と、フィンガ割り当て条件を満たしたサンプル範囲のパス数と前記保護段数メモリ部が保持しているサンプル毎の保護段数とを比較する保護段数比較手段と、前記パス数が前記保護段数以上の状態におけるパスの中の前記相関値が上位のパスを選択する相関値上位パス選択手段と、フィンガに割り当てられたフィンガ割り当てパスのサンプル番号を中心として同一パスとみなせるサンプル範囲の保護段数を前記保護段数メモリ部が保持している保護段数よりも小さい新たな保護段数に設定しこの新たな保護段数を前記保護段数メモリ部に設定する保護段数設定手段と、を具備することを特徴とするＣＤＭＡ受信装置。
【請求項２】
請求項１記載のＣＤＭＡ受信装置を具備することを特徴とする基地局装置。
【請求項３】
請求項１記載のＣＤＭＡ受信装置を具備することを特徴とする通信端末装置。
【請求項４】
複数のアンテナ毎に遅延プロファイルの相関値を算出する遅延プロファイル相関値算出ステップと、前記アンテナ毎の遅延プロファイルからフィンガ閾値を算出するフィンガ閾値算出ステップと、前記アンテナ毎の遅延プロファイルの相関値と前記フィンガ閾値とを比較する相関値比較ステップと、フィンガ割り当て条件を満たしたパスの評価回数である保護段数を保護段数メモリ部が保持する保護段数保持ステップと、フィンガ割り当て条件を満たしたサンプル範囲のパス数と前記保護段数保持ステップで前記保護段数メモリ部が保持したサンプル毎の保護段数とを比較する保護段数比較ステップと、前記パス数が前記保護段数以上の状態におけるパスの中の前記相関値が上位のパスを選択する相関値上位パス選択ステップと、フィンガに割り当てられたフィンガ割り当てパスのサンプル番号を中心として同一パスとみなせるサンプル範囲の保護段数を前記保護段数保持ステップで前記保護段数メモリ部が保持した保護段数よりも小さい新たな保護段数に設定しこの新たな保護段数を前記保護段数メモリ部に設定する保護段数設定ステップと、を具備することを特徴とするＣＤＭＡ受信方法。
【請求項５】
複数のアンテナ毎に遅延プロファイルの相関値を算出する遅延プロファイル相関値算出ステップと、前記アンテナ毎の遅延プロファイルからフィンガ閾値を算出するフィンガ閾値算出ステップと、前記アンテナ毎の遅延プロファイルの相関値と前記フィンガ閾値とを比較する相関値比較ステップと、フィンガ割り当て条件を満たしたパスの評価回数である保護段数を保護段数メモリ部が保持する保護段数保持ステップと、フィンガ割り当て条件を満たしたサンプル範囲のパス数と前記保護段数保持ステップで前記保護段数メモリ部が保持したサンプル毎の保護段数とを比較する保護段数比較ステップと、前記パス数が前記保護段数以上の状態におけるパスの中の前記相関値が上位のパスを選択する相関値上位パス選択ステップと、フィンガに割り当てられたフィンガ割り当てパスのサンプル番号を中心として同一パスとみなせるサンプル範囲の保護段数を前記保護段数保持ステップで前記保護段数メモリ部が保持した保護段数よりも小さい新たな保護段数に設定しこの新たな保護段数を前記保護段数メモリ部に設定する保護段数設定ステップと、を実行するＣＤＭＡ受信プログラム。
【発明の詳細な説明】
【０００１】
【発明の属する技術分野】
本発明は、ＣＤＭＡ受信装置及びＣＤＭＡ受信方法に関し、特に複数のアンテナを有し、前記アンテナ毎に独立してパスサーチ処理を行う移動体通信に用いて好適なＣＤＭＡ受信装置及びＣＤＭＡ受信方法に関する。
【０００２】
【従来の技術】
一般に、ＣＤＭＡ（Ｃｏｄｅ  Ｄｉｖｉｓｉｏｎ  ｍｕｌｔｉｐｌｅ  ａｃｃｅｓｓ）受信装置は、受信信号に拡散符号を乗算して得られた遅延プロファイルから自局宛の信号のパスを取り出すようにしている。
【０００３】
また、従来のＣＤＭＡ受信装置は、アンテナダイバーシチが得られる条件下で配置された複数のアンテナがある場合、アンテナ毎に独立してパスサーチ処理を行っている（例えば、特許文献１参照）。
【０００４】
このＣＤＭＡ受信装置のパスサーチ処理では、フェージング等による受信信号の一時的なレベル変動でフィンガ割り当て条件を満たしたパスの位相をフィンガに割り当てないようにする必要がある。
【０００５】
そこで、従来のＣＤＭＡ受信装置は、パスサーチ処理で検出したパスを直ちにフィンガに割り当てずに保護パスとして保護し、前記保護パスと同じ受信タイミングでフィンガ割り当て条件を満たすパスが前記保護段数以上連続して検出された場合に、初めて同期状態のパスが検出されたと判断するようにしている（例えば、特許文献２参照）。ここで、保護段数とは、前記アンテナ毎の遅延プロファイルの相関値がフィンガ閾値よりも上回っているパスを、前記パスサーチ処理により連続して何回検出したかを示すパスの評価回数をいう。
【０００６】
このように、従来のＣＤＭＡ受信装置は、所定のサンプル範囲において検出されたパスのうち、アンテナ毎の遅延プロファイルの相関値がフィンガ閾値を上回るパスの数を計数し、このパスの計数値が前記保護段数以上になったときに、この検出されたパスの中で相関値が上位のパスをフィンガに割り当てるようにしている。
【０００７】
【特許文献１】
特開２０００−２２５８７号公報
【特許文献２】
特開２００２−３１４４６０号公報
【０００８】
【発明が解決しようとする課題】
しかしながら、従来のＣＤＭＡ受信装置は、アンテナ毎に独立してパスサーチ処理を行っていたため、ある位相について一方のアンテナでは同期状態のパスがフィンガに割り当てられているが、他方のアンテナでは、フィンガ割り当て条件を満たしたパスが検出されているにもかかわらず、検出パスの計数値が前記保護段数未満であるために同期状態のパスが割り当てられていないという状況が発生する。
【０００９】
このため、従来のＣＤＭＡ受信装置は、一方のアンテナでパスがフィンガに割り当てられても、他方のアンテナでパスがフィンガに割り当てられるまでに時間がかかり、同期性能が低下してしまうという問題があった。
【００１０】
本発明はかかる点に鑑みてなされたものであり、同期状態のパスがフィンガに割り当てられるまでの時間を短縮でき、同期性能を向上できるＣＤＭＡ受信装置及びＣＤＭＡ受信方法を提供することを目的とする。
【００１１】
【課題を解決するための手段】
請求項１記載のＣＤＭＡ受信装置は、複数のアンテナ毎に遅延プロファイルの相関値を算出する遅延プロファイル相関値算出手段と、前記アンテナ毎の遅延プロファイルからフィンガ閾値を算出するフィンガ閾値算出手段と、前記アンテナ毎の遅延プロファイルの相関値と前記フィンガ閾値とを比較する相関値比較手段と、フィンガ割り当て条件を満たしたパスの評価回数である保護段数を保持する保護段数メモリ部と、フィンガ割り当て条件を満たしたサンプル範囲のパス数と前記保護段数メモリ部が保持しているサンプル毎の保護段数とを比較する保護段数比較手段と、前記パス数が前記保護段数以上の状態におけるパスの中の前記相関値が上位のパスを選択する相関値上位パス選択手段と、フィンガに割り当てられたフィンガ割り当てパスのサンプル番号を中心として同一パスとみなせるサンプル範囲の保護段数を前記保護段数メモリ部が保持している保護段数よりも小さい新たな保護段数に設定しこの新たな保護段数を前記保護段数メモリ部に設定する保護段数設定手段と、を具備する構成を採る。
【００１２】
この構成においては、前記保護段数メモリ部に保持される保護段数が、最初のアンテナでフィンガに割り当てられたフィンガ割り当てパスのサンプル番号を中心として同一パスとみなせるサンプル範囲の保護段数よりも小さい新たな保護段数に設定される。従って、この構成によれば、他のアンテナでの前記保護段数比較手段による保護段数と計測パス数との比較を短時間で行えるようになり、同期状態のパスがフィンガに割り当てられるまでの時間を短縮することができ、ＣＤＭＡ受信装置の同期性能を向上させることができる。
【００１３】
請求項２記載の基地局装置は、請求項１記載のＣＤＭＡ受信装置を具備する構成を採る。
【００１４】
この構成によれば、同期状態のパスがフィンガに割り当てられるまでの時間を短縮することができ、同期性能を向上させることができるＣＤＭＡ受信装置を有する基地局装置を提供することができる。
【００１５】
請求項３記載の通信端末装置は、請求項１記載のＣＤＭＡ受信装置を具備する構成を採る。
【００１６】
この構成によれば、同期状態のパスがフィンガに割り当てられるまでの時間を短縮することができ、同期性能を向上させることができるＣＤＭＡ受信装置を有する通信端末装置を提供することができる。
【００１７】
請求項４記載のＣＤＭＡ受信方法は、複数のアンテナ毎に遅延プロファイルの相関値を算出する遅延プロファイル相関値算出ステップと、前記アンテナ毎の遅延プロファイルからフィンガ閾値を算出するフィンガ閾値算出ステップと、前記アンテナ毎の遅延プロファイルの相関値と前記フィンガ閾値とを比較する相関値比較ステップと、フィンガ割り当て条件を満たしたパスの評価回数である保護段数を保護段数メモリ部が保持する保護段数保持ステップと、フィンガ割り当て条件を満たしたサンプル範囲のパス数と前記保護段数保持ステップで前記保護段数メモリ部が保持したサンプル毎の保護段数とを比較する保護段数比較ステップと、前記パス数が前記保護段数以上の状態におけるパスの中の前記相関値が上位のパスを選択する相関値上位パス選択ステップと、フィンガに割り当てられたフィンガ割り当てパスのサンプル番号を中心として同一パスとみなせるサンプル範囲の保護段数を前記保護段数保持ステップで前記保護段数メモリ部が保持した保護段数よりも小さい新たな保護段数に設定しこの新たな保護段数を前記保護段数メモリ部に設定する保護段数設定ステップと、を具備するようにした。
【００１８】
この方法においては、前記保護段数保持ステップで前記保護段数メモリ部に保持される保護段数が、最初のアンテナでフィンガに割り当てられたフィンガ割り当てパスのサンプル番号を中心として同一パスとみなせるサンプル範囲の保護段数よりも小さい新たな保護段数に設定される。従って、この方法によれば、他のアンテナでの前記保護段数比較手段による保護段数と計測パス数との比較を短時間で行えるようになり、同期状態のパスがフィンガに割り当てられるまでの時間を短縮することができる。
【００１９】
請求項５記載のＣＤＭＡ受信プログラムは、複数のアンテナ毎に遅延プロファイルの相関値を算出する遅延プロファイル相関値算出ステップと、前記アンテナ毎の遅延プロファイルからフィンガ閾値を算出するフィンガ閾値算出ステップと、前記アンテナ毎の遅延プロファイルの相関値と前記フィンガ閾値とを比較する相関値比較ステップと、フィンガ割り当て条件を満たしたパスの評価回数である保護段数を保護段数メモリ部が保持する保護段数保持ステップと、フィンガ割り当て条件を満たしたサンプル範囲のパス数と前記保護段数保持ステップで前記保護段数メモリ部が保持したサンプル毎の保護段数とを比較する保護段数比較ステップと、前記パス数が前記保護段数以上の状態におけるパスの中の前記相関値が上位のパスを選択する相関値上位パス選択ステップと、フィンガに割り当てられたフィンガ割り当てパスのサンプル番号を中心として同一パスとみなせるサンプル範囲の保護段数を前記保護段数保持ステップで前記保護段数メモリ部が保持した保護段数よりも小さい新たな保護段数に設定しこの新たな保護段数を前記保護段数メモリ部に設定する保護段数設定ステップと、を実行するようにした。
【００２０】
このプログラムにおいては、前記保護段数保持ステップで前記保護段数メモリ部に保持される保護段数が、最初のアンテナでフィンガに割り当てられたフィンガ割り当てパスのサンプル番号を中心として同一パスとみなせるサンプル範囲の保護段数よりも小さい新たな保護段数に設定される。従って、このプログラムによれば、前記他のアンテナでの前記保護段数比較ステップでの保護段数と計測パス数との比較を短時間で行えるようになり、同期状態のパスがフィンガに割り当てられるまでの時間を短縮することができる。
【００２１】
【発明の実施の形態】
本発明の骨子は、最初のアンテナでフィンガに割り当てられたフィンガ割り当てパスのサンプル番号を中心として同一パスとみなせるサンプル範囲の保護段数を、この保護段数よりも小さい新たな保護段数に設定し、この新たな保護段数を他のアンテナにおける保護段数とすることである。
【００２２】
以下、本発明の実施の形態に係るＣＤＭＡ受信装置について図面を参照して詳細に説明する。
【００２３】
図１は、本発明の一実施の形態に係るＣＤＭＡ受信装置の構成を示すブロック図である。図１に示すように、本一実施の形態に係るＣＤＭＡ受信装置１００は、複数の受信部１１０１、１１０２、１１０ｉ（ｉは３以上の整数）、相関値上位パス選択部１８０、保護段数設定部１８１及びレイク合成器１９０を備えている。
【００２４】
受信部１１０１、１１０２、１１０ｉには、アンテナ１２０１、１２０２、１２０ｉが、アンテナダイバーシチが得られる条件下で配設されている。なお、受信部１１０１、１１０２、１１０ｉは、何れも同じ構成を有しているので、ここでは受信部１１０１についてのみ説明する。
【００２５】
受信部１１０１は、アンテナ１２０１、遅延器１３０１、１３０２、１３０ｊ（ｊは３以上の整数）、乗算器１４０１、１４０２、１４０ｊ、検波部１５０１、１５０２、１５０ｊ、パス合成器１６０、拡散符号発生部１７０、遅延プロファイル相関値算出部１７１、フィンガ閾値算出部１７２、相関値比較部１７３、保護段数メモリ部１７４及び保護段数比較部１７５を具備している。
【００２６】
拡散符号発生部１７０は、時間的に任意のチップタイミングで、遅延器１３０１、１３０２、１３０ｊ及び遅延プロファイル相関値算出部１７１に所定の拡散符号を出力する。
【００２７】
遅延プロファイル相関値算出部１７１は、アンテナ１２０１が受信した受信信号と拡散符号発生部１７０から与えられた拡散符号とのスライディング相関を計算してアンテナ１２０１の遅延プロファイルの相関値を算出し、この遅延プロファイルの相関値をフィンガ閾値算出部１７２及び相関値比較部１７３に出力する。この遅延プロファイル相関値算出部１７１で行われる相関計算は、前記拡散符号と前記受信信号との一定時間にわたる積和計算である。
【００２８】
フィンガ閾値算出部１７２は、遅延プロファイル相関値算出部１７１から与えられたアンテナ１２０１の遅延プロファイルからフィンガ閾値を算出し、このフィンガ閾値を相関値比較部１７３に出力する。
【００２９】
相関値比較部１７３は、遅延プロファイル相関値算出部１７１から与えられたアンテナ１２０１の遅延プロファイルのサンプル毎の相関値とフィンガ閾値算出部１７２から与えられたフィンガ閾値とを比較し、前記サンプル毎の比較結果を示す信号を保護段数比較部１７５に出力する。
【００３０】
保護段数メモリ部１７４は、フィンガ割り当て条件を満たしたパスの評価回数である保護段数ｐ（図２参照）を保持する。なお、ここでいうフィンガ割り当て条件を満たしたパスとは、例えば、図２に示すように、アンテナ１２０１の遅延プロファイルの相関値がフィンガ閾値を上回っているサンプル番号ｍのパス（フィンガ割り当てパス）のことである。また、ここでいう保護段数ｐとは、パスサーチ処理でフィンガ割り当て条件を満たすパスが検出されても、このパスを直ちにフィンガ割り当てパスとせず、同一パスとみなせるサンプル範囲で予め指定した段数以上連続して検出されたフィンガ割り当て条件を満たすパスをフィンガ割り当てパスとして評価するパスの評価回数のことである。このように保護段数ｐを設けて検出パスを評価することにより、受信信号の一時的なレベル変動により相関値がフィンガ閾値を上回ってフィンガ割り当て条件を満たしたような不適切なパスがフィンガに割り当てられないようになり、ＣＤＭＡ受信装置１００の受信特性が向上される。
【００３１】
保護段数比較部１７５は、アンテナ１２０１の遅延プロファイルの相関値がフィンガ閾値を上回り続ける時間を計測し、この間に検出されたパスの中でフィンガ割り当て条件を満たしているパスの数と、保護段数メモリ部１７４に保持されている保護段数ｐとをサンプル毎に比較する。そして、このフィンガ割り当て条件を満たした検出パス数が、保護段数メモリ部１７４に保持されている保護段数ｐを上回ったか否かを判断し、この判断結果示す信号を相関値上位パス選択部１８０に出力する。
【００３２】
相関値上位パス選択部１８０は、保護段数比較部１７５から前記検出パス数が保護段数ｐ以上であるとの判断結果を示す信号を受けた後、この保護段数ｐ以上の検出パスの中から相関値が上位のパスを選択し、この選択した上位のパスを遅延器１３０１、１３０２、１３０ｊに出力する。
【００３３】
遅延器１３０１、１３０２、１３０ｊは、拡散符号発生部１７０から出力された所定の拡散符号を、相関値上位パス選択部１８０からの出力情報に基づいて遅延させる。このように、前記拡散符号は、遅延器１３０１、１３０２、１３０ｊにより遅延が加えられることにより、アンテナ１２０１からの受信信号との同期がとられて、乗算器１４０１、１４０２、１４０ｊに出力される。
【００３４】
乗算器１４０１、１４０２、１４０ｊは、アンテナ１２０１からの受信信号と、この受信信号と同期のとられた拡散符号とを、それぞれ乗算して逆拡散する。
【００３５】
検波部１５０１、１５０２、１５０ｊは、乗算器１４０１、１４０２、１４０ｊで逆拡散されたそれぞれの信号を検波して検波信号を生成し、この検波信号をパス合成器１６０に出力する。
【００３６】
パス合成器１６０は、検波部１５０１、１５０２、１５０ｊで検波されたパス毎の検波信号を合成して合成信号を生成し、この合成信号を受信部１１０１でのパス合成受信信号としてレイク合成器１９０に出力する。
【００３７】
レイク合成器１９０は、受信部１１０１、１１０２、１１０ｉのそれぞれのパス合成器１６０からの出力をレイク合成する。
【００３８】
一方、相関値上位パス選択部１８０は、保護段数比較部１７５での判断基準として用いられた保護段数ｐの値などの前記上位のパスの選択情報を保護段数設定部１８１に出力する。
【００３９】
保護段数設定部１８１は、前記上位のパスの選択情報に基づいて、アンテナ１２０１でフィンガに割り当てられたサンプル番号ｍを中心として同一パスとみなせるサンプル範囲（図２に示すサンプル番号ｍ−ｋ〜ｍ＋ｋの同一パス範囲）の保護段数ｐからｑだけ減じた新たな保護段数ｐ−ｑを保護段数メモリ部１７４に出力し、保護段数メモリ部１７４が保持する保護段数を新たな保護段数ｐ−ｑに設定する。
【００４０】
これにより、保護段数メモリ部１７４は、保護段数設定部１８１で設定された新たな保護段数ｐ−ｑを、アンテナ１２０１でのパスサーチ処理時に用いた保護段数ｐと置き換えて保持する。
【００４１】
このように、このＣＤＭＡ受信装置１００では、アンテナ１２０２〜１２０ｉでフィンガに割り当てられた同一パス範囲の保護段数が、アンテナ１２０１でのパスサーチ処理時に用いた保護段数ｐからｑを減じた保護段数ｐよりも小さい保護段数ｐ−ｑとなる。
【００４２】
そして、このＣＤＭＡ受信装置１００においては、保護段数メモリ部１７４に保持された新たな保護段数ｐ−ｑが、図３に示すように、アンテナ１２０２〜１２０ｉでフィンガに割り当てられた同一パス範囲の保護段数として使用される。
【００４３】
これにより、保護段数比較部１７５は、アンテナ１２０２〜１２０ｉの遅延プロファイルの相関値がフィンガ閾値を上回り続ける時間に検出されたパスの中でフィンガ割り当て条件を満たしている検出パス数と、保護段数メモリ部１７４に保持されている保護段数ｐ−ｑとをサンプル毎に比較することになる。
【００４４】
従って、このＣＤＭＡ受信装置１００は、アンテナ１２０２〜１２０ｉでの検出パス数と保護段数ｐ−ｑとを保護段数比較部１７５において比較する際の所要時間を、アンテナ１２０１での所要時間よりも短縮することができる。
【００４５】
上述のように、本発明の一実施の形態に係るＣＤＭＡ受信装置１００によれば、アンテナ１２０２〜１２０ｉでの保護段数比較部１７５による前記検出パス数と保護段数との比較時間を短縮することができるので、フィンガ割り当て条件を満たした所望のパスがフィンガに割り当てられるまでの時間が短縮され、その同期性能が向上される。
【００４６】
なお、本発明は、実施の形態に係るＣＤＭＡ受信装置１００に限定されず、種々の形態に変更して実施することが可能である。例えば、前述の実施の形態ではＣＤＭＡ受信装置として構成した場合について説明したが、本発明は、これに限られるものではなく、前述のようなＣＤＭＡ受信方法をソフトウェアで実行することも可能である。
【００４７】
また、本発明は、ＣＤＭＡ受信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【００４８】
また、本発明は、ＣＤＭＡ受信方法を実行するプログラムをコンピュータで読み取り可能な記憶媒体に格納し、この記憶媒体に格納されたプログラムをコンピュータのＲＡＭ（Ｒａｎｄｏｍ  Ａｃｃｅｓｓ  Ｍｅｍｏｒｙ）に記憶して、コンピュータを前記ＲＡＭに記憶したプログラムにしたがって動作させるようにしても良い。
【００４９】
また、本発明のＣＤＭＡ受信装置は、通信端末装置または基地局装置に搭載しても良く、この通信端末装置または基地局装置は、本実施の形態に係るＣＤＭＡ受信装置と同様の効果を得ることができる。
【００５０】
【発明の効果】
以上説明したように、本発明によれば、フィンガ割り当て条件を満たした所望のパスがフィンガに割り当てられるまでの時間を短縮することができ、同期性能を向上させることができる。
【図面の簡単な説明】
【図１】本発明の実施の形態に係るＣＤＭＡ受信装置の構成を示すブロック図
【図２】前記ＣＤＭＡ受信装置において受信信号を最初に受信するアンテナの遅延プロファイルの一例を示す図
【図３】前記ＣＤＭＡ受信装置における他のアンテナの遅延プロファイルの一例を示す図
【符号の説明】
１００  ＣＤＭＡ受信装置
１６０  パス合成器
１７０  拡散符号発生部
１７１  遅延プロファイル相関値算出部
１７２  フィンガ閾値算出部
１７３  相関値比較部
１７４  保護段数メモリ部
１７５  保護段数比較部
１８０  相関値上位パス選択部
１８１  保護段数設定部
１９０  レイク合成器
１１０１、１１０２、１１０ｉ  受信部
１２０１、１２０２、１２０ｉ  アンテナ
１３０１、１３０２、１３０ｊ  遅延器
１４０１、１４０２、１４０ｊ  乗算器
１５０１、１５０２、１５０ｊ  検波部
【図１】
2004364060.tif 000003
【図２】
2004364060.tif 000004
【図３】
2004364060.tif 000005